(57)【要約】      （修正有）【課題】構造が極めて簡単で折り畳むことができて携帯に便利でありながら品物を入れても型崩れせず、おしゃれバッグに見えるショッピングバッグを提供する。【解決手段】薄手のナイロン生地で作製されたバッグ本体２におけるバッグ口３の長手方向部両側からバッグ本体２と一体に一対の山形状部４，４を延設し、一対の山形状部４，４の内側をそれぞれほぼ円形に切除して各山形状部４，４の頂部周辺にそれぞれ半環状部を形成し、各半環状部の裏側からバッグ口３の裏側にかけてナイロン糸による適宜幅の編みテープ５を縫着し、裏側に該編みテープ５が縫着された各半環状部により持ち手６を構成するとともに持ち手６における握り部６ａは二つ折りに形成し、バッグ本体２の内底部には該バッグ本体２と同生地の中底７を縫合して二重底とした。【選択図】図１
0003170664.tif 000002
【実用新案登録請求の範囲】
【請求項１】
薄手のナイロン生地で作製されたバッグ本体におけるバッグ口の長手方向部両側から該バッグ本体と一体に一対の山形状部を延設し、該一対の山形状部の内側をそれぞれほぼ円形に切除して前記各山形状部の頂部周辺にそれぞれ半環状部を形成し、該各半環状部の裏側から前記バッグ口の裏側にかけてナイロン糸による適宜幅の編みテープを縫着し、裏側に該編みテープが縫着された前記各半環状部により持ち手を構成するとともに該持ち手における握り部は二つ折りに形成し、前記バッグ本体の内底部には該バッグ本体と同生地の中底を縫合して二重底としたことを特徴とするショッピングバッグ。
【考案の詳細な説明】
【技術分野】
【０００１】
本考案は、ショッピングバッグに関するものであり、特に、スーパーでの買い物の際のエコバッグ等として好適なショッピングバッグに関するものである。
【背景技術】
【０００２】
従来、例えば、次のようなショッピングバッグが知られている。この従来技術は、革製の高級ショッピングバッグであって、バッグ本体である筒状体の下端の内側に中底を配置し、この中底の表に本底を接合して二重構造としている。この接合に当たっては、ウエルトと称する細革を介して縫合しており、具体的には筒状体の下端に中底を固定し、筒状体と細革を中底に設けてあるリブにすくい縫いをし、さらに細革と本底を縫い合わせてバッグ本体である筒状体の底部分を頑丈な二重構造としている。また、バッグ本体である筒状体の袋口の対向部には、細径で長めの一対の持ち手を取り付けている。そして、このショッピングバッグは底部分が二重構造で強固に形成されているため、地面に置く際に安定して置くことができ、型崩れがし難く長持ちが可能であり、底部分が傷んでも修理が可能であるとしている（例えば、特許文献１参照）。
【先行技術文献】
【特許文献】
【０００３】
【特許文献１】実用新案登録第３０９８０１９号公報
【考案の概要】
【考案が解決しようとする課題】
【０００４】
実用新案文献１に記載の従来技術においては、バッグ本体は革製の筒状体であり、該革製の筒状体の下端と中底と本底を細革を介して縫合し、バッグ本体である筒状体の底部分を頑丈な二重構造としている。また筒状体の袋口には、細径で長めの一対の持ち手を取り付けている。
【０００５】
ところで、スーパーでの買い物の際のエコバッグ等として使用する場合、買い物前は折り畳むことができて携帯性に優れ、スーパーのレジ通過後に拡げて買い物を収容し得るものが求められ、さらには、構造が簡単でありながら型崩れせずにおしゃれバッグに見えるものが求められる。
【０００６】
しかしながら、上記従来のショッピングバッグは、バッグ本体である革製筒状体の底部分が頑丈な二重構造とされ、地面にも安定して置くことができるように構成されているため、買い物前に折り畳んで携帯するようなことは困難である。
【０００７】
そこで、構造が極めて簡単で折り畳むことができて携帯に便利でありながら品物を入れても型崩れせず、おしゃれバッグに見えるショッピングバッグを提供するために解決すべき技術的課題が生じてくるのであり、本考案はこの課題を解決することを目的とする。
【課題を解決するための手段】
【０００８】
本考案は上記目的を達成するために提案されたものであり、請求項１記載の考案は、薄手のナイロン生地で作製されたバッグ本体におけるバッグ口の長手方向部両側から該バッグ本体と一体に一対の山形状部を延設し、該一対の山形状部の内側をそれぞれほぼ円形に切除して前記各山形状部の頂部周辺にそれぞれ半環状部を形成し、該各半環状部の裏側から前記バッグ口の裏側にかけてナイロン糸による適宜幅の編みテープを縫着し、裏側に該編みテープが縫着された前記各半環状部により持ち手を構成するとともに該持ち手における握り部は二つ折りに形成し、前記バッグ本体の内底部には該バッグ本体と同生地の中底を縫合して二重底としたショッピングバッグを提供する。
【０００９】
この構成によれば、薄手のナイロン生地製のバッグ本体の上部に該バッグ本体と一体に山形状部が延設され、該山形状部の頂部周辺の半環状部で持ち手が形成されている。そして該持ち手の裏側からバッグ口の裏側にかけてナイロン糸の編みテープが縫着され、バッグ口及び持ち手を含むバッグ本体の上部側が補強されている。さらに持ち手の握り部分は、二つ折にされて型崩れが防止され持ち易く構成されている。一方、バッグ本体の内底部には該バッグ本体と同生地の中底が縫合されて二重底とされ、バッグ本体の底部側が補強されている。このように、バッグ本体の上部側及び底部側が共に補強されていることで、バッグ本体に品物を入れても型崩れが防止される。
【００１０】
また、バッグ本体及び持ち手の部分は、薄手のナイロン生地で作製され、バッグ口及び持ち手を含むバッグ本体の上部側の補強には、ナイロン糸による適宜幅の編みテープが用いられ、バッグ本体の底部側の補強には、バッグ本体と同生地の中底を用いて二重底とされている。このため、品物を入れないときは、折り畳んで携帯することが可能となる。
【考案の効果】
【００１１】
請求項１記載の考案は、バッグ本体の上部側が、持ち手の裏側からバッグ口の裏側にかけてナイロン糸の編みテープが縫着されて補強され、バッグ本体の底部側が、バッグ本体と同生地の中底で二重底とされて補強されていることでバッグ本体に品物を入れても型崩れを防止することができる。バッグ本体の上部には該バッグ本体と一体に山形状部が延設され、該山形状部の頂部周辺の半環状部で持ち手が形成されている。また、バッグ本体の内底部には中底が縫合されて補強されていることでバッグ本体の両脇には底部側が広がったまち状部が形成されている。このため、構造が極めて簡単でありながら、前記型崩れが防止されることとも相まっておしゃれバッグに見える。さらに、品物を入れないときは折り畳んで携帯することができるという利点がある。
【図面の簡単な説明】
【００１２】
【図１】本考案の実施例に係るショッピングバッグを示す図であり、（ａ）はショッピングバッグ全体の斜視図、（ｂ）はバッグ本体の底部が二重底となっていることを説明するための斜視図。
【考案を実施するための形態】
【００１３】
本考案は、構造が極めて簡単で折り畳むことができて携帯に便利でありながら品物を入れても型崩れせず、おしゃれバッグに見えるショッピングバッグを提供するという目的を達成するために、薄手のナイロン生地で作製されたバッグ本体におけるバッグ口の長手方向部両側から該バッグ本体と一体に一対の山形状部を延設し、該一対の山形状部の内側をそれぞれほぼ円形に切除して前記各山形状部の頂部周辺にそれぞれ半環状部を形成し、該各半環状部の裏側から前記バッグ口の裏側にかけてナイロン糸による適宜幅の編みテープを縫着し、裏側に該編みテープが縫着された前記各半環状部により持ち手を構成するとともに該持ち手における握り部は二つ折りに形成し、前記バッグ本体の内底部には該バッグ本体と同生地の中底を縫合して二重底とすることにより実現した。
【実施例１】
【００１４】
以下、本考案の好適な実施例を図１の（ａ）、（ｂ）を参照して説明する。まず、本実施例に係るショッピングバッグの構成を説明する。図１（ａ）において、ショッピングバッグ１におけるバッグ本体２は薄手のナイロン生地で作製され、該バッグ本体２におけるバッグ口３の長手方向部両側からバッグ本体２と一体に一対の山形状部４，４が延設されている。該一対の山形状部４，４の内側はそれぞれほぼ円形４ａに切除され、各山形状部４，４の頂部周辺にそれぞれ半環状部が形成されている。
【００１５】
そして、各半環状部の裏側から前記バッグ口３の裏側にかけてナイロン糸による適宜幅の編みテープ５が縫着され、裏側に該編みテープ５が縫着された前記各半環状部４，４により持ち手６が構成されている。該持ち手６における握り部６ａは二つ折りに形成されて握り易い形になっている。一方、図１（ｂ）に示すように、前記バッグ本体２の内底部には該バッグ本体２と同生地の中底７が、バッグ本体２の本底２ａと共に縫合されて二重底とされている。
【００１６】
次に、上述のように構成されたショッピングバッグ１の作用を説明する。薄手のナイロン生地製のバッグ本体２の上部に該バッグ本体２と一体に山形状部４，４が延設され、該山形状部４，４の頂部周辺の半環状部で持ち手６が形成されている。そして該持ち手６の裏側からバッグ口３の裏側にかけてナイロン糸の編みテープ５が縫着され、バッグ口３及び持ち手６を含むバッグ本体２の上部側が補強されている。さらに持ち手６の握り部６ａは、二つ折にされて型崩れが防止され持ち易く構成されている。
【００１７】
一方、バッグ本体２の内底部には該バッグ本体２と同生地の中底７がバッグ本体２の本底２ａと共に縫合されて二重底とされ、バッグ本体２の底部側が補強されている。このように、バッグ本体２の上部側及び底部側が共に補強されていることで、バッグ本体２に品物を入れても型崩れが防止される。
【００１８】
また、バッグ本体２及び持ち手６の部分は、薄手のナイロン生地で作製され、バッグ口３及び持ち手６を含むバッグ本体２の上部側の補強には、ナイロン糸による適宜幅の編みテープ５が用いられ、バッグ本体２の底部側の補強には、バッグ本体２と同生地の中底７を用いて二重底とされている。このため、品物を入れないときは、折り畳んで携帯することが可能となる。
【００１９】
上述したように、本実施例に係るショッピングバッグ１においては、バッグ本体２の上部側が、持ち手６の裏側からバッグ口３の裏側にかけてナイロン糸の編みテープ５が縫着されて補強され、バッグ本体２の底部側は、バッグ本体２と同生地の中底７で二重底とされて補強されていることでバッグ本体２に品物を入れても型崩れを防止することができる。
【００２０】
バッグ本体２の上部には該バッグ本体２と一体に山形状部４，４が延設され、該山形状部４，４の頂部周辺の半環状部で持ち手６が形成されている。また、バッグ本体２の内底部には中底７が縫合されて補強されていることで、図１（ａ）に示すように、バッグ本体２の両脇には底部側が広がったまち状部が形成されている。このため、構造が極めて簡単でありながら、前記型崩れが防止されることとも相まっておしゃれバッグに見える。さらに、品物を入れないときは折り畳んで携帯することができる。
【００２１】
なお、本考案は、本考案の精神を逸脱しない限り種々の改変をなすことができ、そして、本考案が該改変されたものにも及ぶことは当然である。
【産業上の利用可能性】
【００２２】
構造が極めて簡単で折り畳むことができて携帯に便利でありながら品物を入れても型崩れせず、おしゃれバッグに見せることが不可欠なトートバッグ、子供のためのバッグ等の他のバッグにも広く適用することが可能である。
【符号の説明】
【００２３】
１    ショッピングバッグ
２    バッグ本体
２ａ  本底
３    バッグ口
４    山形状部
４ａ  円形状切除部
５    編みテープ
６    持ち手
６ａ  握り部
７    中底
【図１】
0003170664.tif 000003